(57)【要約】【課題】４色のボタンを有するリモコンにより、デジタル画像の出力とその出力の色補正とを行える画像出力装置を提供する。【解決手段】赤・緑・青・黄の４個のボタン２２ａ〜２２ｄを有するリモコン２０から出力される制御コマンドにより作動が制御される画像出力装置（デジタルカメラ１０）を、デジタル画像をディスプレイ４０に出力するイメージ制御器１０３と、このイメージ制御器１０３による出力画像の色を補正する色補正器１０４と、リモコンＩ／Ｆ１１と、制御コマンドに応じて画像表示モード及び色調整モードを切り替えて実行するコマンド制御器１０２とから構成し、コマンド制御器１０２が、黄色ボタン２２ｄに対応する制御コマンドを画像表示モード及び色調整モードの切り替えに割り当て、赤色・緑色・青色ボタン２２ａ〜２２ｃに対応する制御コマンドの各々を、色調整モードが選択されているときの、赤色・緑色・青色の調整に割り当てる。【選択図】図３
2009027214.tif 000002
【特許請求の範囲】
【請求項１】
少なくとも４個のボタンを有するリモコンから出力される当該ボタンの各々に対応した制御コマンドにより作動が制御される画像出力装置であって、
デジタル画像を表示再生装置に出力する画像出力機能と、
前記画像出力機能による前記表示再生装置への出力画像の色を補正情報により補正する色補正機能と、
前記リモコンから出力される前記制御コマンドを受信するリモコンインタフェース機能と、
前記リモコンインタフェース機能で受信された前記制御コマンドに応じて、前記デジタル画像を前記表示再生装置に出力する画像表示モード、及び、前記補正情報を設定する色調整モードを切り替えて実行するコマンド制御機能とを有し、
前記コマンド制御機能が、
前記４個のボタンの何れか１つに対応する前記制御コマンドを前記画像表示モード及び前記色調整モードの切り替えに割り当て、
前記４個のボタンの残りの３つに対応する前記制御コマンドの各々を、前記色調整モードが選択されているときの、青色・赤色・緑色の調整に割り当てるように構成された画像出力装置。
【請求項２】
前記リモコンが、青色・赤色・緑色・黄色の４色のボタンを有し、
前記コマンド制御機能が、
前記黄色のボタンに対応する前記制御コマンドを、前記画像表示モード及び前記色調整モードの切り替えに割り当て、
前記青色・赤色・緑色のボタンに対応する前記制御コマンドの各々を、前記色調整モードが選択されているときの、青色・赤色・緑色の調整に割り当てるように構成された請求項１に記載の画像出力装置。
【請求項３】
前記補正情報を記憶する記憶部を有し、
前記制御コマンド機能が、前記色調整モードが選択されているときに、前記リモコンの前記制御コマンドのいずれかに対応して、前記補正情報を前記記憶部に対して書き込み及び読み出しするように構成された請求項１または２に記載の画像出力装置。
【発明の詳細な説明】
【技術分野】
【０００１】
本発明は、デジタル画像をビデオ出力する画像出力装置に関する。
【背景技術】
【０００２】
従来より、デジタルカメラなどの画像出力装置からデジタル画像をビデオ出力し、それをテレビモニタなどの表示再生装置で表示を行っている。テレビモニタで表示される画質調整操作としては、テレビモニタ側の設定で行う方法とテレビリモコンを使用した技術が開示されている（例えば、特許文献１参照）。
【特許文献１】特開２００５−１７５８６３号公報
【発明の開示】
【発明が解決しようとする課題】
【０００３】
テレビモニタなどの表示再生装置で表示するデジタル画像の色と、デジタル画像を出力する画像出力装置が出す本来の色とでは誤差が生じる。これは表示再生装置ごとに固有の再生特性を持つことと、外乱光の影響を受けるためである。その解決方法として、表示色の調整が行われる。表示色の調整方法としては、テレビモニタ自体の色調整機能による方法と、画像出力装置側の色調整機能による方法の２つが考えられる。しかしながら、前者の場合は、色調整を行った後ＴＶ番組観覧モードなどに切り替える場合には、元の色に戻す必要があり不便である。また、後者の画像出力装置の場合は設定ボタン等がこの画像出力装置にあるため、設定をするたびに席を立つなどが必要であり不便であるという課題があった。
【０００４】
本発明はこのような課題に鑑みてなされたものであり、少なくとも４つのボタンを有するリモコンによりデジタル画像の出力と、その出力の色補正とを行えるように構成された画像出力装置を提供することを目的とする。
【課題を解決するための手段】
【０００５】
前記課題を解決するために、本発明に係る画像出力装置（例えば、実施形態におけるデジタルカメラ１０）は、少なくとも４個のボタン（例えば、実施形態におけるカラーボタン２２）を有するリモコンから出力される当該ボタンの各々に対応した制御コマンドにより作動が制御されるものであり、デジタル画像を表示再生装置（例えば、実施形態におけるディスプレイ４０）に出力する画像出力機能（例えば、実施形態におけるイメージ制御器１０３）と、この画像出力機能による表示再生装置への出力画像の色を補正情報（例えば、実施形態における色補正テーブル１１０に記憶された色補正データ）により補正する色補正機能（例えば、実施形態における色補正器１０４）と、リモコンから出力される制御コマンドを受信するリモコンインタフェース機能（例えば、実施形態におけるリモコンＩ／Ｆ１１）と、このリモコンインタフェース機能で受信された制御コマンドに応じて、デジタル画像を表示再生装置に出力する画像表示モード及び補正情報を設定する色調モードを切り替えて実行するコマンド制御機能（例えば、実施形態におけるコマンド制御器１０２）とを有する。そして、コマンド制御機能が、４個のボタンの何れか１つに対応する制御コマンドを画像表示モード及び色調整モードの切り替えに割り当て、４個のボタンの残りの３つに対応する制御コマンドの各々を、色調整モードが選択されているときの、青色・赤色・緑色の調整に割り当てるように構成される。
【０００６】
このような本発明に係る画像出力装置において、リモコンが、青色・赤色・緑色・黄色の４色のボタンを有し、コマンド制御機能が、黄色のボタンに対応する制御コマンドを、画像表示モード及び色調整モードの切り替えに割り当て、青色・赤色・緑色のボタンに対応する制御コマンドの各々を、色調整モードが選択されているときの、青色・赤色・緑色の調整に割り当てるように構成されることが好ましい。
【０００７】
また、このような本発明に係る画像出力装置は、補正情報を記憶する記憶部（例えば、実施形態におけるメモリカード１０８）を有し、コマンド制御機能に、色調整モードが選択されているときに、リモコンの制御コマンドのいずれかに対応して、補正情報を記憶部に対して書き込み及び読み出しするように構成されることが好ましい。
【発明の効果】
【０００８】
本発明に係る画像出力装置を以上のように構成すると、画像出力装置と表示再生装置との色の表示誤差の調整を、少なくとも４つのボタンを有するリモコン（例えば、テレビ用リモコン）を使って遠隔操作することができる。特に、表示再生装置として家庭用テレビを用いる場合、このテレビに標準装備されるテレビ用リモコンの「青色、赤色、緑色、黄色」ボタンの４つのボタンのみで本発明に係る画像出力装置を操作することができるため、どのメーカーのリモコンでも、同じ操作を行うことができる。
【発明を実施するための最良の形態】
【０００９】
以下、本発明の好ましい実施形態について図面を参照して説明する。まず、図１を用いて画像出力装置の使用方法について説明する。なお、本実施例においては画像出力装置としてデジタルカメラを例に説明する。このデジタルカメラ１０は、表示再生装置のディスプレイ４０にビデオ出力線３０を介して接続される。デジタルカメラ１０からディスプレイ４０に画像を表示する方法は、カラーチャート画像を表示し色の調整操作を行う色調整モードＭ１と、通常画像（このデジタルカメラ１０で撮影されたデジタル画像等）を表示する画像表示モードＭ２の２つがあり、ユーザ操作で任意に切替えることできる。ディスプレイ４０は、ハイビジョンテレビ、プロジェクタなどの装置でもよい。またビデオ出力線３０は、無線でも有線でもよい。デジタルカメラ１０には、リモコン２０からの赤外線を受信するリモコンＩ／Ｆ１１を有する。テレビリモコン２０を使って、色調整モードＭ１または通常画像モードＭ２の切替えや色調整の操作を実施することができる。
【００１０】
この実施例において、リモコン２０としては図２に示すような一般的なテレビリモコンが用いられる。このリモコン２０は、赤外線通信を行うための発光部２１と、青、赤、緑、黄の４色のカラーボタン２２と、テレビモニタの電源をオン／オフする操作を行うための電源ボタン２３と、テレビの番組をダイレクトに選局する選局ボタン２４と、テレビの番組のチャンネルを切替えるチャンネル切替えボタン２５と、テレビの音量を調整する音量ボタン２６とを有している。なお、本実施例では、青、赤、緑、黄のカラーボタン２２のみを用いて、デジタルカメラ１０の操作を行いそれ以外のボタン２３〜２６は使用しない。
【００１１】
それではこのようなデジタルカメラ１０の機能構成について図３に示すブロック図を用いて説明する。このデジタルカメラ１０は、中央演算処理装置（以下「ＣＰＵ」と称する）１０１、コマンド制御器１０２、イメージ制御器１０３、色補正器１０４、ビデオ出力部１０５、メモリ制御器１０６、ダイナミックランダムアクセスメモリ（以下「ＤＲＡＭ」と称する）１０７、メモリカード１０８、カラーチャートメモリ１０９及び色補正テーブル１１０を有し、また、上述のリモコンＩ／Ｆ１１を有している。なお、この図３には図示していないが、このデジタルカメラ１０は、光学系と撮像素子とを有しており、光学系により撮像素子の撮像面に結像された像を検出してデジタル画像とし、このデジタル画像をＤＲＡＭ１０７若しくはメモリカード１０８に保存記録するように構成されている。
【００１２】
ＣＰＵ１０１は、リモコンＩ／Ｆ１１、コマンド制御器１０２、イメージ生成器１０３及びメモリ制御器１０６を制御する。なお、リモコンＩ／Ｆ１１は、リモコン２０と赤外線通信するための機器であり、リモコン２０の操作による割り込みをＣＰＵ１０１に対して行い処理を実施する。リモコンＩ／Ｆ１１でリモコン２０から制御コマンドが受信されると、コマンド制御器１０２にその制御コマンドが渡されて処理される。なお、本実施例においては、上述のようにリモコン２０の青色ボタン２２ａ、赤色ボタン２２ｂ、緑色ボタン２２ｃ及び黄色ボタン２２ｄの４つに対応する制御コマンドのみを使用するため、コマンド制御器１０２は、カラーボタン２２以外に対応する制御コマンドは処理しないように構成されている。
【００１３】
イメージ制御器１０３は、ＣＰＵ１０１に制御されて、メモリ制御器１０６を介してＤＲＡＭ１０７やメモリカード１０８に保存記憶されているデジタル画像を読み出し、ビデオ出力部１０５を介してディスプレイ４０に表示するものである。このとき、イメージ制御器１０３の出力は、一旦、色補正器１０４に入力される。色補正器１０４は、メモリ制御器１０６を介して色補正テーブル１１０に記憶されている色補正データを読み出し、図４に示すように、この色補正データ（赤・緑・青の色情報であって、それぞれ「Ｒの値」、「Ｇの値」、「Ｂの値」として示す）に応じて出力画像を補整した後、ビデオ出力部１０５を介してデジタル画像をディスプレイ４０にビデオ出力するように構成されている。
【００１４】
上述のように、このデジタルカメラ１０によりビデオ出力線３０を介してディスプレイ４０に表示される画面は、撮影されてＤＲＡＭ１０７やメモリカード１０８に保存記録されているデジタル画像を表示する通常の画像表示モードＭ２と、色調整を行う色調整モードＭ１とを有している。図５は、通常の画像表示モードＭ２においてデジタル画像３０１をディスプレイ４０に表示したときを示している。このディスプレイ４０には、デジタル画像３０１や画像の日付及びコメント３０２等が表示されている。また、色調整モードＭ１に移行することの表記３０３が配置される。この画面が表示されているときに、リモコン２０の黄色ボタン２２ｄが押下されると、コマンド制御器１０２でその制御コマンドが処理され、イメージ制御器１０３に色調整モードＭ１に切り替えることを命令する。
【００１５】
一方、図６は、色調整モードＭ１において、イメージ制御器１０３により色調整画面Ｇ１をディスプレイ２０に表示したときを示している。この色調整画面Ｇ１には、基準のカラーチャート４０１が表示されており、赤、緑、青の色補正値（色補正テーブル１１０に記憶されている色補正データ）の表示４０２〜４０４と、色調整モードＭ１における処理モードを示す表記４０５〜４０６が配置される。なお、後述するようにこの色調整モードＭ１において編集中の色調整の設定内容は、名前を付けて保存することができるため、現在使用中の名前が上部４１０に表示されている。なお、カラーチャート４０１は、メモリ制御器１０６を介してカラーチャートメモリ１０９から読み出されて表示される。
【００１６】
それでは、次に、色調整モードＭ１における操作と処理について説明する。色調整モードＭ１において、黄色ボタン２２ｄが押下されると、コマンド制御器１０２は、その処理モードを図７に示すように、「アップモードＭ１１」→「ダウンモードＭ１２」→「保存モードＭ１３」→「読込みモードＭ１４」→「戻るモードＭ１５」と移行させ、戻るモードＭ１５において再び黄色ボタン２２ｄが押下されるとアップモードＭ１１に戻るように構成されている。
【００１７】
アップモードＭ１１は、色の調整操作で色補正データを１ステップずつプラスしていくことを示しており、逆にダウンモードＭ１２は、色補正データを１ステップずつマイナスしていくことを示しており、いずれの処理モードにおいても図７に示す色調整画面Ｇ１が表示される。なお、この色調整画面Ｇ１において、色の調整操作は、リモコン２０のカラーボタン２２のうち、青色ボタン２２ａ、赤色ボタン２２ｂ及び緑色ボタン２２ｃで行う。
【００１８】
図８に処理モードがアップモードＭ１１若しくはダウンモードＭ１２の場合におけるコマンド制御器１０２の処理について説明する。コマンド制御器１０２は、リモコンＩ／Ｆ１１から渡された制御コマンドが青色ボタン２２ａ、赤色ボタン２２ｂ若しくは緑色ボタン２２ｃに対応したものであるときは、現在の表示モードが画像表示モードＭ２であるか色調整モードＭ１であるかを判断し（ステップＳ５０１）、画像表示モードＭ２であるときは何も処理をしないで終了する。一方、表示モードが色調整モードＭ１である場合は、次に、現在の処理モードがアップモードＭ１１またはダウンモードＭ１２であるかを判断し（ステップＳ５０２）、アップモードＭ１１若しくはダウンモードＭ１２以外のモード（保存モードＭ１３、読み込みモードＭ１４若しくは戻るモードＭ１５）のときは後述の処理を実行する（ステップＳ５０３）。
【００１９】
そして、赤色ボタン２２ｂが押下されたときは、処理モードがアップモードＭ１１の場合は、メモリ制御器１０６を介して色補正テーブル１１０の赤の値を１ステップずつ増加させ（ステップＳ５０４）、処理モードがダウンモードＭ１２の場合は、色補正テーブル１１０の赤の値を１ステップずつ減少させる（ステップＳ５０５）。同様に、青色ボタン２２ａの場合は色補正テーブル１１０の青の値を１ステップずつ増減させ、緑色ボタン２２ｃの場合は色補正テーブル１１０の緑の値を１ステップずつ増減させる。最後に、変更された色補正テーブル１１０の値は、表示する際に補正値として色補正器１０４により使用され、ディスプレイ４０には、現在の色補正テーブル１１０の色情報に応じたカラーチャート４０１が表示される（ステップＳ５０６）。
【００２０】
保存モードＭ１３は、調整中の色補正データ（色補正テーブル１１０に記憶されている色補正データ）をメモリカード１０８に保存することができるものであり、このモードが選択されるとコマンド制御器１０２はイメージ制御器１０３を制御して図９に示す画面Ｇ２を表示する。この画面Ｇ２が表示されているときに、リモコン２０の赤色ボタン２２ｂが押下されると、図示しないファイル保存ダイアログが表示され、名前を付けてこの色補正データを保存することができる。具体的な処理（図８の「他のモードの処理Ｓ５０３」に対応する）について、図１０を用いて説明する。まず、ユーザに対して色補正データに付けるファイル名の選択をさせる（ステップＳ６０１）。そして、そのファイル名で同名がメモリカード１０８に存在しないかをチェックする（ステップＳ６０２）。このとき、同名のファイルが存在する場合は上書きの確認を行い（ステップＳ６０３）、上書きしない場合は何もしないで終了する。一方、上書きする場合と、同名が存在しない場合は、色補正テーブル１１０から色補正データを読出し(ステップＳ６０４）、読出したデータをメモリカード１０８に保存する（ステップＳ６０５）。
【００２１】
読込みモードＭ１４は、上述の保存モードＭ１３でメモリカード１０８に保存した色補正データを読出して、色補正テーブル１１０に設定することができるものであり、図１１に示す画面Ｇ３を表示する。この読込みモードＭ１４において、リモコン２０の赤色ボタン２２ｂが押下されると、コマンド制御器１０２は、図示しないファイルを開くダイアログを表示してファイルを選択させ、色補正データを色補正テーブル１１０に読み込むことができる。具体的な処理（図８の「他のモードの処理Ｓ５０３」に対応する）について図１２を用いて説明する。まず、ユーザに対して読出す色補正データのファイルを選択させる（ステップＳ７０１）。そして、選択されたファイルを色補正データとしてメモリカード１０８から読出し（ステップＳ７０２）、読み出した色補正データを色補正テーブル１１０に設定する（ステップＳ７０３）。なお、この読み出されたファイルのファイル名は、色調整画面Ｇ１に表示される。
【００２２】
戻るモードＭ１５は、色調整モードＭ１を終了するものであり、図１３に示す画面Ｇ４を表示して終了の確認を行う。すなわち、この戻るモードＭ１５において、リモコン２０の赤色ボタン２２ｂが押下された場合は、コマンド制御器１０２は、通常の画像表示モードＭ２に切り替え、黄色ボタン２２ｄが押下された場合は、図７に示すようにアップモードＭ１１に切り換える。
【００２３】
以上に説明したリモコン２０のカラーボタン２２と色調整モードＭ１及び画像表示モードＭ２における処理との関係を図１４及び図１５にまとめる。
【００２４】
このように、本実施例に係るデジタルカメラ１０によると、画像出力装置（デジタルカメラ１０）と表示再生装置（ディスプレイ２０）との色の表示誤差の調整を、４色のカラーボタン２２を備えるリモコン（例えば、テレビ用リモコン）を使って遠隔操作することができる。このとき、表示再生装置として家庭用のテレビを用いている場合には、このデジタルカメラ１０の操作に、このテレビの操作用リモコンを利用でき、このリモコンに標準装備される「青、赤、緑、黄」ボタンの４つのボタン（カラーボタン２２）のみで操作することができる。そのため、これらのカラーボタン２２を備えるリモコン２０であれば、どのメーカーのリモコンでも、同じ操作で色調整を行うことができる。
【００２５】
なお、上述のテレビ操作用リモコンのカラーボタン２２は、通常、テレビの電源のオン／オフやチャンネルの切り替えには割り当てられていないため、デジタルカメラ１０を接続して画像の表示をしているときにこのカラーボタン２２を操作しても、テレビの操作に影響を与える可能性は低い。また、このようなテレビ用リモコン等をこのデジタルカメラ１０の操作に利用するときは、予めデジタルカメラ１０にそのリモコンの制御コマンドのパターンを学習させておく必要がある。
【図面の簡単な説明】
【００２６】
【図１】本発明に係る画像出力装置（デジタルカメラ）の使用方法を示す説明図である。
【図２】上記デジタルカメラに用いられるリモコンを示す説明図である。
【図３】上記デジタルカメラの構成を示すブロック図である。
【図４】色補正テーブルのデータ構造を説明する説明図である。
【図５】画像表示モード時の表示状態を示す説明図である。
【図６】色調整モード時の表示状態を示す説明図である。
【図７】色調整モード時の処理モードの遷移を示す説明図である。
【図８】アップモード及びダウンモード時の処理を示すフローチャートである。
【図９】保存モードにおける画面を示す説明図である。
【図１０】保存モード時の処理を示すフローチャートである。
【図１１】読込みモードにおける画面を示す説明図である。
【図１２】読込みモード時の処理を示すフローチャートである。
【図１３】戻るモードにおける画面を示す説明図である。
【図１４】画像表示モードにおけるカラーボタンと処理の対応を示す表である。
【図１５】色調整モードにおけるカラーボタンと処理の対応を示す表である。
【符号の説明】
【００２７】
１０  デジタルカメラ（画像出力装置）
１１  リモコンＩ／Ｆ（リモコンインタフェース機能）
２０  リモコン    ２２  カラーボタン    ２２ａ  青色ボタン    ２２ｂ  赤色ボタン
２２ｃ  緑色ボタン    ２２ｄ  黄色ボタン
４０  ディスプレイ（表示再生装置）    １０２  コマンド制御器（コマンド制御機能）
１０３  イメージ制御器（画像出力機能）    １０４  色補正器（色補正機能）
１０８  メモリカード（記憶部）    １１０  色補正テーブル（補正情報）
Ｍ１  色調整モード    Ｍ２  画像表示モード
【図１】
2009027214.tif 000003
【図２】
2009027214.tif 000004
【図３】
2009027214.tif 000005
【図４】
2009027214.tif 000006
【図５】
2009027214.tif 000007
【図６】
2009027214.tif 000008
【図７】
2009027214.tif 000009
【図８】
2009027214.tif 000010
【図９】
2009027214.tif 000011
【図１０】
2009027214.tif 000012
【図１１】
2009027214.tif 000013
【図１２】
2009027214.tif 000014
【図１３】
2009027214.tif 000015
【図１４】
2009027214.tif 000016
【図１５】
2009027214.tif 000017